(57)【特許請求の範囲】
【請求項１】
多数のパチンコ機が並設されると共にその下部空間に配置され且つ当該パチンコ島台で使用されるパチンコ玉を貯留してその下流側の導出口からパチンコ玉を上部に揚送する玉揚送装置に向かって貯留したパチンコ玉を供給する貯留タンクを内蔵するパチンコ島台において、
前記貯留タンクには、前記玉揚送装置によって揚送されたパチンコ玉であってオーバーフローしたパチンコ玉を貯留タンクの上流部側に向けて誘導する溢れ玉樋を、前記貯留タンクの長手方向に沿って適宜間隔を置いて設けられ且つその一端が蝶番によって固定されその他端が上下の高さ調節が可能な調節ネジに連結される載置取付具に載置支持された状態で前記貯留タンクの上流部側に向けて傾斜状に設けたことを特徴とするパチンコ島台。
【請求項２】
前記溢れ玉樋は、前記貯留タンクの上部左右に設けられると共にその上流端が前記貯留タンクの下流部側上部に傾斜状に固定される上段プレートに接続され、
前記上段プレートには、その下流側に中央に該上段プレートに落下したパチンコ玉を左右の溢れ玉樋に分岐するための分流突起板を突設したことを特徴とする請求項１記載のパチンコ島台。
【発明の詳細な説明】
【０００１】
【発明の属する技術分野】
本発明は、多数のパチンコ機が並設されると共にその下部空間に配置され且つ当該パチンコ島台で使用されるパチンコ玉を貯留してその下流側の導出口からパチンコ玉を上部に揚送する玉揚送装置に向かって貯留したパチンコ玉を供給する貯留タンクを内蔵するパチンコ島台に関するものである。
【０００２】
【従来の技術】
近年、遊技者が獲得した賞球を玉返却装置を介してパチンコ島台に直接返却して、従来のように景品交換場に返却された賞球を各パチンコ島台に還流するための機構を省略するものが提案されている。このようなパチンコ島台には、返却されるパチンコ玉を貯留するために大型の貯留タンクが内蔵されている。
【０００３】
このような貯留タンクを備えたパチンコ島台として、出願人は、先に特願平５−２３５６１９号（特開平７−５９９３７号として出願公開されている；以下、先行技術という）を提案した。
【０００４】
【発明が解決しようとする課題】
しかして、本発明の目的とするところは、先行技術に示されるような貯留タンクにおいて、玉揚送装置によって揚送されたパチンコ玉であってオーバーフローしたパチンコ玉を貯留タンクの上流部側に向けて誘導する溢れ玉樋を転動するパチンコ玉の落下する割合を調節することが可能な貯留タンクを備えたパチンコ島台を提供することにある。
【０００５】
【課題を解決するための手段】
上記した目的を達成するために、本発明においては、多数のパチンコ機が並設されると共にその下部空間に配置され且つ当該パチンコ島台で使用されるパチンコ玉を貯留してその下流側の導出口からパチンコ玉を上部に揚送する玉揚送装置に向かって貯留したパチンコ玉を供給する貯留タンクを内蔵するパチンコ島台において、前記貯留タンクには、前記玉揚送装置によって揚送されたパチンコ玉であってオーバーフローしたパチンコ玉を貯留タンクの上流部側に向けて誘導する溢れ玉樋を、前記貯留タンクの長手方向に沿って適宜間隔を置いて設けられ且つその一端が蝶番によって固定されその他端が上下の高さ調節が可能な調節ネジに連結される載置取付具に載置支持された状態で前記貯留タンクの上流部側に向けて傾斜状に設けたことにより、調節ネジを調節することで溢れ玉樋を転動するパチンコ玉の落下する割合を調節することができる。
【０００６】
また、前記溢れ玉樋は、前記貯留タンクの上部左右に設けられると共にその上流端が前記貯留タンクの下流部側上部に傾斜状に固定される上段プレートに接続され、前記上段プレートには、その下流側に中央に該上段プレートに落下したパチンコ玉を左右の溢れ玉樋に分岐するための分流突起板を突設したことにより、玉揚送装置によって揚送されたパチンコ玉であってオーバーフローしたパチンコ玉を左右に分岐することができる。
【０００７】
【発明の実施の形態】
以下、図面を参照して本発明の実施形態について説明する。まず、図１乃至図３を参照して、本実施形態に係るパチンコ島台１の概略構成について説明する。図１は、実施形態に係るパチンコ島台１の一側から見た側面図であり、図２は、パチンコ島台１を他側から見た側面図であり、図３は、パチンコ島台１の内部を示す正面図である。図において、パチンコ島台１は、周知のように、直方体状に枠組み構成され、その長手方向側面中央にパチンコ機２を背向列設するようになっている。また、パチンコ島台１には、その中央部の玉揚送装置収納部４の一側にパチンコ機２で獲得したパチンコ玉を返却するための玉返却装置３もパチンコ機２と並列状に設けられるが、この玉返却装置３は、後述する非優先側の大型貯留タンク１３が内蔵されるパチンコ機列側に設けられることが望ましい。これは、通常の営業状態でほとんど満杯状態となることのない非優先側貯留タンク１３への玉返却装置３からの賞球の返却を確実に行うことができるからである。なお、玉返却装置３には、返却口が形成され、その返却口から返却されたパチンコ玉（賞球）は、後述する溢れ玉樋２６上に導かれるようになっている。更に、玉返却装置３の返却口は、図示しないが電気的駆動源（例えば、モータやソレノイド）によって開閉駆動されるようになっている。
【０００８】
また、パチンコ島台１のほぼ中央には、玉揚送装置収納部４が構成され、該玉揚送装置収納部４内に玉揚送装置５が収納設置されている。本実施形態に係る玉揚送装置５は、詳細には図示しないが帯状の搬送ベルトによってパチンコ玉を揚送するものであり、その帯状の搬送ベルトがパチンコ島台１の長手方向と平行となるように設置されてパチンコ玉を上部に揚送するものである。玉揚送装置５の上部には、揚送されたパチンコ玉を一時的に貯留する上部タンク６が設けられ、その上部タンク６から左右に補給樋７が傾斜状に設けられており、上部タンク６からパチンコ玉を流下させるようになっている。補給樋７には、各パチンコ機２に対応して分配シュート８が設けられ、補給樋７を流下するパチンコ玉を取り込むようになっている。分配シュート８によって取り込まれたパチンコ玉は、下部に設けられる計数装置９によって計数された後、パチンコ機２の背面上部に設けられる賞球タンクに供給され、遊技によって遊技者に払い出される賞球として使用される。なお、図示のでは、分配シュート８を各パチンコ機２にだけ対応するものを示したが、各パチンコ機２に挟まれるようにして台間玉貸機が設けられる場合には、この台間玉貸機にも対応するように分配シュート８が設けられるものである。
【０００９】
一方、各パチンコ機２から排出される使用済玉は、計数機能を有するアウト玉回収箱１０から下方に排出される。アウト玉回収箱１０から排出されたパチンコ玉は、大型の貯留タンク１２，１３の上部に設けられる溢れ玉樋２６上に落下して貯留タンク１２，１３の貯留空間に貯留される。なお、貯留タンク１２，１３は、それぞれパチンコ機２の３〜４台分に相当する長さに形成されるため（所謂１ユニット島の長さ）、その貯留タンク１２，１３が収納されるユニット島の外側にさらにユニット島が接続される場合（多くの場合接続される）には、その外側に接続されるユニット島の下部中央にアウト玉誘導レール１１が設けられ、該アウト玉誘導レール１１の末端が貯留タンク１２，１３の上流部に接続されて後述するアウト玉誘導路４１の入口４１ａに連通するようになっている。
【００１０】
また、パチンコ島台１の下部であって前記玉揚送装置５の両サイドに貯留タンク１２，１３が設けられている。この貯留タンク１２，１３には、多量のパチンコ玉を貯留する程大きく形成される。具体的には、貯留タンク１２，１３に貯留されるパチンコ玉数は、当該パチンコ島台１に設置される複数のパチンコ機２の各種の遊技状態に十分対処し得る程度（例えば、各１５〜２０万個ずつ）の大きさに設計される。なお、この貯留タンク１２，１３の詳細な構造については、後に詳述する。
【００１１】
上記した貯留タンク１２，１３には、前記上部タンク６からオーバフローしたパチンコ玉を下部に還流するオーバーフローボックス１４がそれぞれ接続されている。オーバーフローボックス１４は、玉揚送装置５の背面空間を利用する形で設けられた直方体状のボックスであり、その内部が分岐仕切１５によって縦方向に仕切られている。分岐仕切１５は、オーバーフローボックス１４の一側に寄せて設けられ、その幅広領域に連通する一側の通路内に複数の流下板を段差状に交互に設けて優先通路１４ａを構成し、その幅狭領域に連通する他側の通路内にも複数の流下板を段差状に交互に設けて非優先通路１４ｂを構成している。即ち、上部タンク６からオーバーフローしたパチンコ玉は、優先通路１４ａに優先的に導かれ、その優先通路１４ａが満杯となったときに非優先通路１４ｂに溢れ出るようになっている。そして、優先通路１４ａは、図３の左側の貯留タンク１２（以下、優先貯留タンク１２という場合がある）に連通され、非優先通路１４ｂは、図３の右側の貯留タンク１３（以下、非優先貯留タンク１３という場合がある）に連通するようになっている。このように、本実施例においては、オーバーフロー機構を従来のフレキシブルパイプに代えてボックス状に構成したので、還流されるパチンコ玉による騒音の発生を極めて小さくすることができると共に、還流機能だけでなく相当量のパチンコ玉（本実施形態においては、約２〜３万個）を貯留する貯留機能もあるので、従来使用されていなかった空間を利用してパチンコ島台１内部における貯留空間として有効に利用し得る。
【００１２】
また、上記したオーバーフローボックス１４には、溢れ出たパチンコ玉を優先通路１４ａよりも先に優先して非優先貯留タンク１３のやや下流側部分に導く最優先ホース１６が設けられている。即ち、最優先ホース１６は、その上端が優先通路１４ａの上流側に接続され、その下端が非優先タンク１３の下流側の底面に固定される最優先ホース接続具３８に接続されている。そして、最優先ホース１６を流下したパチンコ玉は、図３に示すように、非優先貯留タンク１３の下流部分に最優先に貯留されるようになっており、これによって優先貯留タンク１２側からと非優先タンク１３側からの玉揚送装置５への玉の供給を均等にして玉の揚送効率を高めるようにしている。
【００１３】
また、貯留タンク１２，１３の内側側壁には、貯留玉量を検出するための貯留レベル検出センサ１７ａ〜１７ｇ、１８（ただし、１７ｅは、優先通路１４ａに設けられ、１８は、非優先通路１４ｂに設けられる）が設けられている。本出願人らの実験によれば、貯留タンク１２，１３内のパチンコ玉の貯留変化は、各貯留タンク１２，１３の上流側から滞留するものであることが分かった。このため、貯留レベル検出センサ１７ａ〜１７ｄ、１７ｆ，１７ｇは、ほぼ水平方向の直線状に配置し、優先貯留タンク１２の上流側にある貯留レベル検出センサ１７ａが下限を検出するものであり、非優先貯留タンク１３の下流側にある貯留レベル検出センサ１７ｇが上限直前を検出し、非優先通路１４ｂにある貯留レベル検出センサ１８が上限を検出するものである。これらの検出センサの検出信号に基づいてパチンコ島台１の両端外部に取り付けられている貯留レベル報知器１９が貯留タンク１２，１３内の貯留量を報知するようになっていると共に、上限センサ１８からの信号に基づいて玉返却装置３の返却口が閉塞されるようになっている。
【００１４】
次に、貯留タンク１２，１３部分のより詳細な構造について図４乃至図１２を参照して説明する。図４は、貯留タンク１２，１３の内部を透視した状態の斜視図であり、図５は、貯留タンク１２，１３の上方部分を取り除いた状態の斜視図であり、図６は、貯留タンク１２，１３の下部隅角部に設けられる各誘導路３９，４０，４１を示す斜視図であり、図７は、パチンコ島台１のカウンター台３３を貯留タンク１２，１３の上部に固定した状態の斜視図であり、図８は、溢れ玉樋２６の取付状態を示す断面図であり、図９は、一対の貯留タンク１２，１３の接続部分を示す斜視図であり、図１０は、一対の貯留タンク１２，１３と玉揚送装置５との関係を示す側方断面図であり、図１１は、図２のＡ−Ａ線で切断した断面図であり、図１２は、図２のＢ−Ｂ線で切断した断面図である。
【００１５】
左右の一対の貯留タンク１２，１３の構造は、ほぼ同じであるので、一方の貯留タンク１３についてのみ説明する。貯留タンク１３は、カウンター台１７より下方の下部空間に設置される直方体状のタンク基台２０によって構成されている。タンク基台２０の底板２１は、図４及び図１１に示すように、後端から前端に向かって傾斜していると共に一側の側板２２に向かっても傾斜しており、その傾斜下端側板２２側の下部隅角部に後に詳述するバイパス誘導路３９，４０及びアウト玉誘導路４１が設けられている。
【００１６】
また、貯留タンク１３の内部には、前端上部に上段プレート２３が傾斜状に固定され、その上段プレート２３の両サイドに所定の間隔を開けて一対の溢れ玉樋２６が接続されている。この左右一対の溢れ玉樋２６は、図４、図７、図８に示すように、適宜間隔を置いてその一端が側板２２に蝶番２８によって固定され、その他端がカウンター台３３の裏面に固着される水平板３１に立設される垂直桟３２に止着される支持金具３０に調節ネジ２９を介して連結されるＬ字状の載置取付具２７に載置支持された状態で貯留タンク１３の端部に向けて傾斜状に設けられ、前記オーバーフローボックス１４の非優先通路１４ｂから流下するパチンコ玉や前記アウト玉回収箱１０から落下する大部分のパチンコ玉を貯留タンク１３の端部に向けて流下させるように作用し、その流下する過程で一部のパチンコ玉を一対の溢れ玉樋２６の間隔から貯留タンク１３の貯留空間に落下させるものである。なお、溢れ玉樋２６を転動するパチンコ玉が後端まで到達することなく途中で落下する割合を調節するためには、前記調節ネジ２９によって行うことができる。また、上段プレート２３には、その下流側中央に上段プレート２３に落下したパチンコ玉を左右の溢れ玉樋２６に分岐するための分流突起板２４が突設され、その上流側中央に後述する連絡樋５２が接続されるための流出口２５が形成されている。この流出口２５は、玉返却装置３から返却されたパチンコ玉の一部を他方の貯留タンク１２に向けて誘導するためのものである。
【００１７】
また、貯留タンク１３の前端であって上記上段プレート２３の下方には、圧抜きプレート３５が傾斜状に設けられるが、この圧抜きプレート３５は、図１０に示すように、パチンコ玉が大量に貯留されている場合に、次に説明する各誘導路３９，４０，４１を流下するパチンコ玉以外のパチンコ玉の導出口３７への流出を確実に行うために設けられるものである。したがって、この圧抜きプレート３５は、その先端と後述するカバー体４２との間隔がパチンコ玉の直径よりも小さくなるように固定されている。
【００１８】
また、タンク基台２０の底板２１の流下端（前端）には、底板２１を流下するパチンコ玉をその傾斜にしたがって導くためのほぼ三角形状の誘導プレート３６が固着されており、その誘導プレート３６の誘導先に導出口３７が形成されている。導出口３７には、導出口３７から流出するパチンコ玉を玉揚送装置５に列状にして導く導入樋が接続されるようになっている。また、貯留タンク１３の下流に近い部分の中央には、前記最優先ホース１６の下端が接続される最優先接続具３８が固着されるが、この接続具３８には、下流側に向けて流出口が形成されているので、最優先ホース１６によって導かれたパチンコ玉が底板２１を下流側に向けて流下し、その流下したパチンコ玉が滞留して接続具３８の流出口部分まで到達すると、それ以上の流出がなくなり、最優先ホース１６内にパチンコ玉が貯留され、遂には、最優先ホース１６の上端に到達するとオーバーフローボックス１４内に溢れたパチンコ玉が優先通路１４ａに導かれるようになっている。
【００１９】
更に、貯留タンク１２の内部には、前述したように、その傾斜下端側板２２側の下部隅角部にバイパス誘導路３９，４０及びアウト玉誘導路４１が設けられている。即ち、図５、図６及び図１１に示すように、貯留タンク１３の底板２１と傾斜下端側板２２とによって構成される隅角部には、貯留タンク１３の長手方向寸法とほぼ同じ長さであってその上流入口３９ａが貯留タンク１３の上流部分に臨むと共にその下流出口３９ｂが貯留タンク１３の下流端に形成される導出口３７のやや上流側に臨む断面コ字状の第１のバイパス誘導路３９がビス５０によって底板２１に固定され、該第１のバイパス誘導路３９に隣接して貯留タンク１３の長手方向寸法のほぼ半分の長さであってその上流入口４０ａが貯留タンク１３の中流部分に臨むと共にその下流出口４０ｂが導出口３７のやや上流側に臨む断面コ字状の第２のバイパス誘導路４０がビス５０によって底板２１に固定され、第１のバイパス誘導路３９の上部に隣接してその上流入口４１ａが貯留タンク１３の上流端に接続されるアウト玉誘導レール１１に連通すると共にその下流出口４１ｂが導出口３７の直前に臨む断面コ字状のアウト玉誘導路４０がビス５０によって側板２２に固定されている。
【００２０】
そして、それら３つの誘導路３９，４０，４１の上部及び一側側方を被覆するようにカバー体４２が側板２２に固定される取付金具５１によって取り付けられている。なお、第１のバイパス誘導路３９の入口３９ａと第２のバイパス誘導路４０の入口４０ａは、カバー体４２の側面を切り欠くことにより形成されている。また、アウト玉誘導路４１の入口４１ａは、予め三角形状の立体筒状に形成されてタンク基台２０の側板２２と後壁にビスで止着されて貯留タンク１３の後壁に連結されるアウト玉誘導レール１１に連通されている。更に、バイパス誘導路３９，４０の出口３９ｂ，４０ｂは、導出口３７のやや前方であって底板２１を転動して誘導プレート３６によって誘導されるパチンコ玉と合流し得る位置に臨んでいるのに対し、アウト玉誘導路４１の出口４１ｂは、それらの出口よりも前方であって導出口３７の直前に臨ましめてある。このように、アウト玉誘導路４１の出口４１ｂをバイパス誘導路３９，４０の出口３９ｂ，４０ｂ及び底板２１を転動する玉の出口よりも前方で且つ上部に位置させることにより、アウト玉誘導路４１からの玉を優先的に導出口３７に導き、アウト玉誘導路４１及びアウト玉誘導レール１１に使用済のパチンコ玉が滞留しないようにしている。なお、バイパス誘導路３９，４０の出口３９ｂ，４０ｂ及び底板２１を転動する玉の出口から流出するパチンコ玉の導出口３７への誘導においては、それらの間に優劣はなく均等に導かれるものである。
【００２１】
貯留タンク１３には、上記した構成以外に、図１、図２、図１２に示すように、各誘導路３９，４０，４１の設置側と反対側の側板２２下流側に貯留タンク１３内に玉が滞留して流れないトラブルが生じたとき等に内部の玉を玉抜きする玉抜き口４３が形成され、各誘導路３９，４０，４１の設置側の側板２２下流側に前記各誘導路３９，４０，４１を修理点検するための長方形状の点検開口４６が形成されている。
【００２２】
まず、玉抜き口４３について説明すると、玉抜き口４３は、上下方向にスライドするスライド板４４によって閉塞されており、そのスライド板４４に対応する位置の腰板３４に開閉蓋４５が設けられている。したがって、貯留タンク１３内で玉停留等のトラブルが生じたときには、開閉蓋４５を開放した後、スライド板４４を上昇せしめることにより、貯留タンク１３内の貯留玉を玉抜き口４３及び開閉蓋４５を開放することにより、外部に取り出すことができる。
【００２３】
次に、点検開口４６について説明すると、点検開口４６は、通常時閉塞板４７によって閉塞されており、その閉塞板４７は、腰板３４によって覆われている。このため、閉塞板４７を取り外すためには、腰板３４を取り外さなければならないが、点検開口４６部分の腰板３４（図１の符号３４を付した部分の内側）は、図１２に示すように、その下部がタンク基台２０の側板２２に固定される掛止金具４８によって係止され、その上部だけがビス４９によって螺着されているので、ビス４９を緩めて取り外した後に、掛止金具４８との係合を外すことにより簡単に腰板３４を外すことができる。そのような状態で閉塞板４７を取り外すと第１バイパス誘導路３９及びアウト玉誘導路４１の側面の一部が点検開口４６から臨んだ状態となるので、パチンコ機２を開放して上部からビス５０等を緩めて動くようにした各誘導路３９，４０，４１を点検開口４６から取り出したりして修理点検することができる。なお、この修理点検を点検開口４６からできるようにした理由は、パチンコ機２を開放して上からのぞき込んで各誘導路３９，４０，４１を取り出すことが島内の配線や前記カウンター台３３の後方延設部等によってほとんど行うことができないからである。
【００２４】
以上、一対の貯留タンク１２，１３のほぼ共通する構成について説明してきたが、一部相違する点として、図９及び図１０に示すように、非優先貯留タンク１３には、前記した上段プレート２３に流出口２５が形成されるのに対し、優先貯留タンク１２の上段プレート２３には、流出口２５が形成されていない。その代わり、優先貯留タンク１２には、上段プレート２３の下方に返却ダクト５３が設けられ、該返却ダクト５３と非優先貯留タンク１３の流出口２５とが連絡樋５２によって連絡されている。これらの構成は、玉返却装置３から返却される玉の一部を連絡樋５２を介して優先貯留タンク１２側に導くものである。
【００２５】
以上、実施形態に係る貯留タンク１２，１３の構成について説明してきたが、本実施形態によれば、貯留タンク１２，１３には、その底面隅角部に、貯留タンク１２，１３の長手方向寸法とほぼ同じ長さであってその上流入口３９ａが貯留タンク１２，１３の上流部分に臨むと共にその下流出口３９ｂが貯留タンク１２，１３の下流端に形成される導出口３７のやや上流側に臨む第１のバイパス誘導路３９と、該第１のバイパス誘導路３９に隣接して貯留タンク１２，１３の長手方向寸法のほぼ半分の長さであってその上流入口４０ａが貯留タンク１２，１３の中流部分に臨むと共にその下流出口４０ｂが導出口３７のやや上流側に臨む第２のバイパス誘導路４０と、少なくとも一方のバイパス誘導路３９の上部に隣接してその上流入口４１ａが貯留タンク１２，１３の上流端に接続されるアウト玉誘導レール１１に連通すると共にその下流出口４１ｂが導出口３７の直前に臨むアウト玉誘導路４０と、を設け、その上部左右に、玉揚送装置５によって揚送されたパチンコ玉であってオーバーフローしたパチンコ玉を貯留タンク１２，１３の上流部側に向けて誘導する溢れ玉樋２６をほぼ水平方向に支持することにより、第一に、貯留タンク１２，１３の隅角部にバイパス誘導路３９，４０及びアウト玉誘導路４１が設けられてそれらの上部にもパチンコ玉を貯留することができるように構成したので、多量のパチンコ玉を貯留することができ、第二に、貯留タンク１２，１３の上流部分に滞留しているパチンコ玉を第１のバイパス誘導路３９で、貯留タンク１２，１３の中流部分に滞留しているパチンコ玉を第２のバイパス誘導路４０で、それぞれ導出口３７に導くと共に貯留タンク１２，１３の下流部分に滞留しているパチンコ玉を直接導出口３７に導くように構成されているので、貯留タンク１２，１３のいずれの部分に滞留しているパチンコ玉をも確実に導出口３７に導くことができ、長期間に亘って貯留玉を滞留させることがない。なお、図示の実施形態において、第２のバイパス誘導路４０へは、第１のバイパス誘導路３９の入口３９ａから入ったパチンコ玉も誘導されるようになって上流部分及び中流部分のパチンコ玉を誘導しているようにしているが、入口３９ａからはいったパチンコ玉は、第１のバイパス誘導路３９にだけ誘導されるようにしても良い。
【００２６】
また、上記のような構成を有する貯留タンク１２，１３を、パチンコ島台１の玉揚送装置５の両側に各々設け、その各々の貯留タンク１２，１３には、玉揚送装置５によって揚送されたパチンコ玉であってオーバーフローしたパチンコ玉をいずれか一方の貯留タンク１２に優先して還流するオーバーフロー機構１４を接続すると共に、少なくとも非優先側の貯留タンク１３が内蔵されるパチンコ機列側に遊技者が獲得した賞球を返却する玉返却装置３を臨ませることにより、通常の営業状態でほとんど満杯状態となることのない非優先側貯留タンク１３への玉返却装置３からの賞球の返却を確実に行うことができる。
【００２７】
【発明の効果】
以上、説明したところから明らかなように、本発明においては、玉揚送装置によって揚送されたパチンコ玉であってオーバーフローしたパチンコ玉を貯留タンクの上流部側に向けて誘導する溢れ玉樋を、貯留タンクの長手方向に沿って適宜間隔を置いて設けられ且つその一端が蝶番によって固定されその他端が上下の高さ調節が可能な調節ネジに連結される載置取付具に載置支持された状態で貯留タンクの上流部側に向けて傾斜状に設けたことにより、調節ネジを調節することで溢れ玉樋を転動するパチンコ玉の落下する割合を調節することができる。
【００２８】
また、溢れ玉樋は、貯留タンクの上部左右に設けられると共にその上流端が貯留タンクの下流部側上部に傾斜状に固定される上段プレートに接続され、上段プレートには、その下流側に中央に該上段プレートに落下したパチンコ玉を左右の溢れ玉樋に分岐するための分流突起板を突設したことにより、玉揚送装置によって揚送されたパチンコ玉であってオーバーフローしたパチンコ玉を左右に分岐することができる。
【図面の簡単な説明】
【図１】実施形態に係るパチンコ島台の一側から見た側面図である。
【図２】パチンコ島台を他側から見た側面図である。
【図３】パチンコ島台の内部を示す正面図である。
【図４】貯留タンクの内部を透視した状態の斜視図である。
【図５】貯留タンクの上方部分を取り除いた状態の斜視図である。
【図６】貯留タンクの下部隅角部に設けられる各誘導路を示す斜視図である。
【図７】パチンコ島台のカウンター台を貯留タンクの上部に固定した状態の斜視図である。
【図８】溢れ玉樋の取付状態を示す断面図である。
【図９】一対の貯留タンクの接続部分を示す斜視図である。
【図１０】一対の貯留タンクと玉揚送装置との関係を示す側方断面図である。
【図１１】図２のＡ−Ａ線で切断した断面図である。
【図１２】図２のＢ−Ｂ線で切断した断面図である。
【符号の説明】
１  パチンコ島台
２  パチンコ機
３  玉返却装置
５  玉揚送装置
１１  アウト玉誘導レール
１２  貯留タンク（優先貯留タンク）
１３  貯留タンク（非優先貯留タンク）
１４  オーバーフローボックス（オーバーフロー機構）
１４ａ  優先通路
１４ｂ  非優先通路
２０  タンク基台
２１  底板
２２  側板
２６  溢れ玉樋
３３  カウンター台
３４  腰板
３７  導出口
３９  第１のバイパス誘導路
３９ａ  入口
３９ｂ  出口
４０  第２のバイパス誘導路
４０ａ  入口
４０ｂ  出口
４１  アウト玉誘導路
４１ａ  入口
４１ｂ  出口
４２  カバー体
【図１】
0003922118.tif 000002
【図２】
0003922118.tif 000003
【図３】
0003922118.tif 000004
【図４】
0003922118.tif 000005
【図５】
0003922118.tif 000006
【図６】
0003922118.tif 000007
【図７】
0003922118.tif 000008
【図８】
0003922118.tif 000009
【図９】
0003922118.tif 000010
【図１０】
0003922118.tif 000011
【図１１】
0003922118.tif 000012
【図１２】
0003922118.tif 000013